(57)【要約】      （修正有）【課題】ガスライターを握持する手指で発光スイッチを入れるだけの簡単操作で、発光するのみならず、文字や図柄等の投影模様を壁等の照射面に投影することができるガスライターとしての商品価値及び趣向性を高めた有用なガスライターを提供する。【解決手段】ライター本体１内に、ガスタンク２及び投影ライト３を備える。投影ライト３は、筒状のホルダー３ａ内に、発光ダイオード等の光源３ｂと、文字、図柄等を表示してなるフィルム状の透光体３ｃと、光を拡散せしめるレンズ３ｄとを備える。光源３ｂは、主として発光ダイオードを使用するものであり、透光体３ｃは、フィルム状を呈しており、文字、社名、ロゴ、商標、図柄、写真、キャラクター、アニメ、動物・人間等の肖像などの模様(投影模様)が印刷などを介して表示してある。【選択図】 図３
0003131070.tif 000002
【実用新案登録請求の範囲】
【請求項１】
ライター本体に装着された着火操作子と、該着火操作子の操作に連動して開弁されるバルブ機構とを備えてなるガスライターにおいて、
文字や図柄等の模様を投影することができる投影ライトを前記ライター本体に設けたことを特徴とするガスライター。
【請求項２】
前記投影ライトは、ライター本体内に組み付けられた筒状のホルダー内に、発光ダイオード等の光源と、文字や図柄等の模様を表示してなる透光体と、該透光体と一定間隔を介して配置されたレンズとを備えることを特徴とする請求項１に記載のガスライター。
【請求項３】
ライター本体に装着された着火操作子と、該着火操作子の操作に連動して開弁されるバルブ機構と、発光ダイオード等の光源とを備えてなるガスライターにおいて、
前記ライター本体内に組み付けられた筒状のホルダーに、前記発光ダイオード等の光源で照射される文字や図柄等の模様を表示してなる透光体と、該透光体と一定間隔を介して配置されたレンズとを内設してなる投影ライトを有することを特徴とするガスライター。
【考案の詳細な説明】
【技術分野】
【０００１】
本考案は、ライター本体内に投影ライトを兼備してなるガスライターの改良に関し、更に詳しくは、ライターを握持する手指で発光スイッチを入れることで、任意の文字や図柄等を壁等の照射面に投影することができる、ライターとしての商品価値及び趣向性を高めた有用なガスライターに関する。
【背景技術】
【０００２】
従来、斯かるガスライターとしては、例えば、少なくとも所定の電流が導通すると発光する発光素子と、この発光素子を発光させ得る電力を供給し得る電池と、これら発光素子と電池とを電気的に閉回路とし得る電導体と、これら発光素子と電池と電導体を所定の形態に収納し得る収納体とを有し、少なくとも前記電導体の一部が弾力を有し、該電導体の所定の箇所に対して所定の外力を加えていないときには該弾力によって前記発光素子及び電池及び電導体からなる回路が開回路となり、所定の箇所に対して所定の外力を加えると前記回路が閉回路となって発光素子が発光するように構成され、外部から押圧操作を行なうように構成される物品に、該押圧操作に連動して前記回路が閉回路となるように組み込んで使用することができるように構成されたガスライターが案出されている（例えば、特許文献１参照）。
【特許文献１】実用新案登録第３１１４４８１号公報
【考案の開示】
【考案が解決しようとする課題】
【０００３】
しかしながら、上述した従来のガスライターにあっては、着火操作子（発火用ボタン）を押すだけで、発光素子が発光し暗い場所やライター周辺を照らすことができるといった利点を有するものの、照らすだけでは従来の懐中電灯と同じ機能で何ら変わらず、面白味に欠けるといった問題がある。
【０００４】
また、昨今では、単にタバコに火を着けるだけではなく、使用する人の意に反して文字や図柄等を壁面に投影することができ、延いては地震災害や遭難時の救済アイテムとしても役に立つものが要望されている。
【０００５】
本考案はこのような従来の問題点及び要望に鑑みてなされたもので、ガスライターを握持する手指で発光スイッチを入れるだけの簡単操作で、発光するのみならず、文字や図柄等の投影模様を壁等の照射面に投影することができる、ガスライターとしての商品価値及び趣向性を高めた有用なガスライターを提供することを目的としたものである。
【課題を解決するための手段】
【０００６】
上述の如き従来の問題点を解決し、所期の目的を達成するため本考案の要旨とする構成は、ライター本体に装着された着火操作子と、該着火操作子の操作に連動して開弁されるバルブ機構とを備えてなるガスライターにおいて、文字や図柄等の模様を投影することができる投影ライトを前記ライター本体に設けてなるガスライターに存する。
【０００７】
また、前記投影ライトは、ライター本体内に組み付けられた筒状のホルダー内に、発光ダイオード等の光源と、文字や図柄等の模様を表示してなる透光体と、該透光体と離間されたレンズとを備えるのが良い。
【考案の効果】
【０００８】
本考案は上述のように構成され、文字や図柄等の模様を投影することができる投影ライトを前記ライター本体に設けたことによって、単にタバコに火を着けるだけではなく、壁等の照射面に映り出す照明の中に、文字、図柄等の模様が投影されるため、ガスライターとしての意外性があり、商品価値を高めることができるといった効果を奏する。
【０００９】
また、前記投影ライトは、ライター本体内に組み付けられた筒状のホルダー内に、発光ダイオード等の光源と、文字や図柄等の模様を表示してなる透光体と、該透光体と一定間隔を介して離間されたレンズとを備えたことによって、焦点距離の定まった投影ライトになるため、照射面から遠ざかれば投影模様が大きくなり近づければ逆に投影模様が小さくなるなど、透明模様に応じて、例えば、使用者をしてロゴや動物、キャラクター等を壁面に大きく或いは小さく映し出しながら遊べる趣向性の高いガスライターを提供できるものである。
【００１０】
このように本考案のガスライターは、ただ単にタバコに火を着けるだけではなく、文字等を投影できるため、例えば、「ＳＯＳ」や「助けて！」等の文字を建物等の壁面に向けて投影できることから、地震災害や遭難時の救済アイテムとしても役に立つなど、趣向性に富んだガスライターを提供できるものであり、また、構成も単純であるため、大量生産に適し価格も低廉なものとして需用者に供給できるなど、本考案を実施することはその実益的価値が甚だ大である。
【考案を実施するための最良の形態】
【００１１】
ライター本体内に筒状のホルダーを介して、少なくとも発光ダイオード等の光源と、文字や図柄等の模様を表示してなるフィルム状の透光体と、該透光体と一定間隔を介して離間されるレンズとを備えるのが良い。
【実施例】
【００１２】
次に本考案の第１実施例を図１乃至図２を参照しながら説明する。図中Ａは、本考案に係るガスライターを示すものであり、このガスライターＡは、図１に示すように、ライター本体１内に、ガスタンク２及び投影ライト３を備えている。
【００１３】
ライター本体１は、内部機構が透視できるように全体が透明な合成樹脂材で成形されており、風防４内にガス噴出ノズル５の先端を臨ませ、着火操作子６を押込操作することにより、ガス噴出ノズル５よりガスが噴出し、圧電ユニット７の押込打撃機構にて放電着火されるように連動されている。
【００１４】
また、ガスタンク２は、同タンク２内に封入された液化ガスが吸上部材８で吸い上げられ、バルブ機構９で気化され後、ガス噴出ノズル５から気化ガスが噴出されるように構成されている。
【００１５】
一方、投影ライト３は、筒状のホルダー３ａ内に、発光ダイオード等の光源３ｂと、文字、図柄等を表示してなるフィルム状の透光体３ｃと、光を拡散せしめるレンズ３ｄとを配設している。
【００１６】
光源３ｂは、主として発光ダイオードを使用するものであるが、その他、豆電球や光ファイバー等を使用しても良い。
【００１７】
透光体３ｃは、フィルム状を呈しており、文字、社名、ロゴ、商標、図柄、写真、キャラクター、アニメ、動物・人間等の肖像などの模様(投影模様)が印刷などを介して表示してある。
【００１８】
因に、文字として、「ＳＯＳ」「助けて！」「ＨＥＬＰ」などを透光体３ｃに印刷しておけば、「ＳＯＳ」等の文字を建物等の壁面に向けて投影できるため、地震災害や遭難時の救済アイテムとしても役に立つのである。
【００１９】
レンズ３ｄは、光を拡散させる凸レンズからなるものであるが、これに限定されることなく、使用目的や用途に応じて他種類のレンズ（例えば、球面レンズ、凹レンズ、フレネルレンズ、キュービックレンズ、パラボリックレンズ、プリズムレンズ、マイクロレンズ等）を使用できることは云うまでもない。
【００２０】
また、この投影ライト３は、電源１０と発光ダイオード等の光源３ｂとを電気的に接続するリード線等の電導体１１と、電源１０と光源３ｂとの電気的接続をＯＮ／ＯＦＦ操作する発光スイッチ１２とを備えている。
【００２１】
発光スイッチ１２は、押釦式のスイッチであり、指で押し込むことによりＯＮ状態になり、指を離すことによりＯＦＦ状態に復帰できるように組み付けられている。
【００２２】
他方、圧電ユニット７は、上下方向に伸縮するように相互に嵌め合わされた外箱７ａと内箱７ｂとを有し、内箱７ｂの中には、図示はしないが、圧電素子、ハンマー、復帰バネ等が組み込まれている。
【００２３】
更に、バルブ機構９は、頂部端面に開口を有する筒蓋状のノズル螺旋（図示せず）と、該ノズル螺旋の下方開口部に嵌合された有底筒状のノズル底栓体（図示せず）とで内部に弁室（図示せず）を形成しているもので、この弁室内には、Ｏリング、スプリングを介してガス噴出ノズル(図示せず)が上端を前記ノズル螺旋の開口より外方へ突出すべく装着されている。
【００２４】
また、電源１０は、直列に接続された三個のボタン電池からなり、その他、必要に応じて充電池や太陽電池、更には高分子固体電解質を用いたリチウムポリマー電池からなる厚さ０．４ｍｍの薄形電池を使用しても良い。
【００２５】
但し、電源１０に太陽電池を使用する場合は、太陽電池そのものにバッテリーのような蓄電機能がないため、昼間のみならず、暗闇や夜間でも使用できるように、前記ボタン電池や蓄電池(図示せず)と太陽電池とを電気的に接続させた、所謂、二電源方式を採用するのが良い。
【００２６】
このように構成される本考案のガスライターＡは、ライター本体１を握持する手の親指で着火操作子６を押込操作することで、圧電ユニット７が押圧動作されて放電端子(図示せず)に火花放電が発生すると共に、ガス噴出ノズル(図示せず)の頸部が弁操作レバー(図示せず)により引出方向に動作されて弁が開き、かつ、前記液化ガス吸上部材８を介して吸い上げられたガスタンク２内の燃料ガス（液化ガス）がバルブ機構９にて気化されてガス噴出ノズル(図示せず)の先端から噴出され、その瞬間に前記火花放電が引火し火炎状に着火するのである。
【００２７】
また、発光スイッチ１２を押すことにより、電源１０と投影ライト３の光源３ｂが通電(ＯＮ)されるため、光源３ｂが所定の色に発光すると共に、透光体３ｃに表示されている文字、図柄等がレンズ３ｄを介して壁等を照射する光の中に投影されため、壁等の照射面から遠ざかれば投影模様が大きくなり近づければ逆に投影模様が小さくなるなど、透明模様に応じて、例えば、使用者をして、会社名、ロゴ、動物、キャラクター等を壁面に大きく或いは小さく映し出しながら遊べるのである。
【００２８】
更には、斯かる投影模様を介して宣伝効果が期待できる他、「ＳＯＳ」や「助けて！」等の文字をも建物等の壁面に向けて投影できることから、地震災害や遭難時の救済アイテムとしても役に立つことは云うまでもない。
【００２９】
尚、本考案のガスライターは、本実施例に限定されることなく、本考案の目的の範囲内で自由に設計変更し得るものであり、本考案はそれらの全てを包摂するものである。例えば、レンズ３ｄは、筒状のホルダー３ａ内に固定しているが、これに限定されることなく、同レンズ３ｄを摺動自在に配設したり、レンズ３ｄを二個配置して焦点が合わせられるように構成しても良い。
【００３０】
また、本実施例では、ライター本体１にピエゾライターを使用しているが、これに限定されることなく、オイルライターやフリント式ライターにも応用できるものであり、本考案はこれらの全てを包摂するものである。
【図面の簡単な説明】
【００３１】
【図１】本考案に係るガスライターを示す正面図である。
【図２】同ガスライターの平面図である。
【図３】同ガスライターの拡大縦断面図である。
【符号の説明】
【００３２】
１  ライター本体
２  ガスタンク
３  投影ライト
３ａ  ホルダー
３ｂ  光源
３ｃ  透光体
３ｄ  レンズ
４  風防
５  ガス噴出ノズル
６  着火操作子
７  圧電ユニット
８  液化ガス吸上部材
９  バルブ機構
１０  電源
１１  電導体
１２  発光スイッチ
【図１】
0003131070.tif 000003
【図２】
0003131070.tif 000004
【図３】
0003131070.tif 000005